(57)【要約】【課題】ペットボトル等の飲料容器の開口部に装着するボトルキャップグッズの形状を人間又は動物等のキャラクターの顔を模した愛嬌のあるものとし、その顔に形成された口形状を飲み口とすることで、飲料容器内の飲料を娯楽的な気分で飲めるようにしたボトルキャップグッズを提供する。【解決手段】飲料容器２の開口部３に装着する開口穴４を有するボトルキャップグッズ１であって、該ボトルキャップグッズ１の形状が人間又は動物等のキャラクターの顔を模した頭部５から形成され、該頭部５の顔側に開口状態の口形状６が形成されると共に、該口形状６の奥部に前記開口穴４に連通する流通孔７が形成されている。【選択図】図１
0003114938.tif 000002
【実用新案登録請求の範囲】
【請求項１】
飲料容器の開口部に装着する開口穴を有するボトルキャップグッズであって、該ボトルキャップグッズの形状が人間又は動物等のキャラクターの顔を模した頭部から形成され、該頭部の顔側に開口状態の口形状が形成されると共に、該口形状の奥部に前記開口穴に連通する流通孔が形成されていることを特徴とするボトルキャップグッズ。
【請求項２】
前記口形状の奥部には前記開口穴に連通する少なくとも２個の流通孔が形成されていることを特徴とする請求項１記載のボトルキャップグッズ。
【請求項３】
前記開口穴には外部に抜ける空気穴が形成されていることを特徴とする請求項１又は２記載のボトルキャップグッズ。
【請求項４】
前記口形状の奥部に設けられた突部に前記流通孔が形成され、前記突部の周囲に密封蓋を着脱自在に嵌合することによって閉塞可能にされると共に、該密封蓋は前記ボトルキャップグッズの所定箇所に連結されていることを特徴とする請求項１、２又は３記載のボトルキャップグッズ。
【請求項５】
前記開口穴の内周に形成された雌ネジ形状を飲料容器の開口部の外周に設けられた雄ネジ形状にねじ込むことによって飲料容器の開口部に装着するようにしたことを特徴とする請求項１、２、３又は４記載のボトルキャップグッズ。
【請求項６】
前記ボトルキャップグッズは、合成樹脂から形成されていることを特徴とする請求項１、２、３、４又は５記載のボトルキャップグッズ。
【考案の詳細な説明】
【技術分野】
【０００１】
本考案は、ペットボトル等の飲料容器の開口部に装着するボトルキャップグッズに係り、このボトルキャップグッズをキャラクターの顔を模した形状とし、その顔に形成された口形状を飲み口としたボトルキャップグッズに関する。
【背景技術】
【０００２】
従来、ペットボトル等の飲料容器の開口部にはキャップが設けられ、このキャップを取り外すことによって露呈した開口部に口をつけて、ボトル内の飲料を飲むことが一般的に行われている。
【０００３】
このような飲料容器のキャップは、本来、ボトル内の飲料が零れないように、また飲料容器内に埃やばい菌等が入らないようにするため、飲料容器の開口部の外周に設けられた雄ネジ形状にキャップの内周に設けられた雌ネジ形状を螺合することによって、該キャップで飲料容器内を密封するようにしている。
【０００４】
ところで、従来から、上記の飲料容器の開口部に設けられた雄ネジ形状を利用して、他のキャップに相当するものを装着することにより、娯楽性を向上したり、利便性を向上したりすることが行われている。
【０００５】
そのような従来例として特許文献１をあげる。この文献に記載されている飲料吸引具は、
飲料容器２１の開口部２２に装着するアダプター２３に、飲料を吸引するための管２４を挿通させると共に、アダプター２３を適宜のフィギュア２５の形状にしたことを特徴とするものであり、飲料を飲む者は、管２４の端部を口にくわえて吸い込むことにより、飲料容器２１内の飲料を吸い込むことが可能とされている。
【特許文献１】特開２００１−１５７６２９号公報
【考案の開示】
【考案が解決しようとする課題】
【０００６】
上記の飲料吸引具は、自動車の運転中でも顔を上げずに飲料容器内の飲料を飲むことができるものとして便利であるが、より娯楽性のあるボトルキャップグッズを開発し、例えば、お祭り会場や劇場やコンサート会場や競技場や遊園地等において、子供も大人も共に楽しむことができるボトルキャップグッズが希望されていた。
【０００７】
本考案は、以上の事情に鑑みてなされたもので、等の飲料容器の開口部に装着するボトルキャップグッズの形状を人間又は動物等のキャラクターの顔を模した愛嬌のあるものとし、その顔に形成された口形状を飲み口とすることで、飲料容器内の飲料を娯楽的な気分で飲めるようにしたボトルキャップグッズを提供することを目的とする。
【課題を解決するための手段】
【０００８】
上記の目的を達成するために、本考案の請求項１のボトルキャップグッズは、飲料容器の開口部に装着する開口穴を有するボトルキャップグッズであって、該ボトルキャップグッズの形状が人間又は動物等のキャラクターの顔を模した頭部から形成され、該頭部の顔側に開口状態の口形状が形成されると共に、該口形状の奥部に前記開口穴に連通する流通孔が形成されていることを特徴する。
【０００９】
また、本考案の請求項２のボトルキャップグッズは、請求項１において、前記口形状の奥部には前記開口穴に連通する少なくとも２個の流通孔が形成されていることを特徴とする。
【００１０】
また、本考案の請求項３のボトルキャップグッズは、請求項１又は２において、前記開口穴には外部に抜ける空気穴が形成されていることを特徴とする。
【００１１】
また、本考案の請求項４のボトルキャップグッズは、請求項１、２又は３において、前記口形状の奥部に設けられた突部に前記流通孔が形成され、前記突部の周囲に密封蓋を着脱自在に嵌合することによって閉塞可能にされると共に、該密封蓋は前記ボトルキャップグッズの所定箇所に連結されていることを特徴とする。
【００１２】
また、本考案の請求項５のボトルキャップグッズは、請求項１、２、３又は４において、前記開口穴の内周に形成された雌ネジ形状を飲料容器の開口部の外周に設けられた雄ネジ形状にねじ込むことによって飲料容器の開口部に装着するようにしたことを特徴とする。
【００１３】
さらに、本考案の請求項６のボトルキャップグッズは、請求項１、２、３、４又は５において、前記ボトルキャップグッズは、合成樹脂から形成されていることを特徴とする。
【考案の効果】
【００１４】
本考案によるボトルキャップグッズは、飲料容器の開口部に装着する開口穴を有するボトルキャップグッズであって、該ボトルキャップグッズの形状が人間又は動物等のキャラクターの顔を模した頭部から形成され、該頭部の顔側に開口状態の口形状が形成されると共に、該口形状の奥部に前記開口穴に連通する流通孔が形成されているため、このボトルキャップグッズを飲料容器に装着した状態にすると、飲料をする者は、ボトルキャップグッズの口形状に直接口をつけて飲むこととなり、それによって、そのキャラクターと直接口をつけて飲料をしているような遊戯性のある飲み方となって、娯楽的な気分を満喫することが可能となる。
【００１５】
また、本考案のボトルキャップグッズの口形状の奥部には開口穴に連通する少なくとも２個の流通孔が形成されていることによって、上記のように口形状に飲料をする者の口をつけた状態で傾けた飲料容器から、２個の流通孔を経て頭部の口形状に円滑に飲料を流通することが可能となる。
【００１６】
さらに、本考案のボトルキャップグッズの開口穴には外部に抜ける空気穴が形成されていることによって、頭部の口形状に円滑に飲料を流通することが可能となる。
【００１７】
また、本考案のボトルキャップグッズの口形状の奥部に設けられた突部の周囲に密封蓋を着脱自在に嵌合することによって、流通孔を閉塞可能することができ、またこの密封蓋はボトルキャップグッズの所定箇所に連結されていることによって、容易に密封蓋を使用して流通孔を閉塞可能にし、持ち運び等を行う際に飲料容器内の飲料が零れたりすることを防止することができる。
【００１８】
また、本考案のボトルキャップグッズの開口穴の内周に形成された雌ネジ形状を飲料容器の開口部の外周に設けられた雄ネジ形状にねじ込むことによって飲料容器の開口部に、容易に装着することが可能となる。
【００１９】
さらに、本考案のボトルキャップグッズは、合成樹脂から形成されていることによって、軽量、安全且つ安価に作製することが可能となる。
【考案を実施するための最良の形態】
【００２０】
以下、本考案の実施例について図面を参照しながら説明する。
【実施例１】
【００２１】
本考案によるボトルキャップグッズ１は、図１に示すように、ペットボトル等の飲料容器２の開口部３に装着するための開口穴４を有するボトルキャップグッズ１であって、該ボトルキャップグッズ１の形状が人間又は動物等のキャラクターの顔を模した頭部５から形成され、該頭部５の顔側に開口状態の口形状６が形成されると共に、該口形状６の奥部に開口穴４に連通する流通孔７が形成されてなるものである。
【００２２】
このようなボトルキャップグッズ１について詳細に述べると、上記のボトルキャップグッズ１の開口部３に装着する頭部５は、各種の合成樹脂等を成形することによって軽重、安全且つ安価に製造することができる。
【００２３】
図１又は図２に示す頭部５の形状は、一例としてイヌの顔を模した形状とし、その頭部５の顔側に開口状態の口形状６を形成したものとしてあるが、他に、人間又は動物等のキャラクターの顔を表現したもの、俳優、女優等を含むタレント、スポーツ選手等の人気キャラクター、さらにはロボットを含む人間や動物を登場させるアニメ等のキャラクターの顔等を表現したものとしてもよい。
【００２４】
この頭部５の顔側に形成した口形状６は、この口形状６に飲料をする者の口を直接接触して飲料をするため、飲料をする者、即ち実際の人間の口の大きさを超える大きさとするのが望ましい。ただし、口形状６の大きさは、この口形状６に飲料をする者の口をつけて飲む際に、いかに飲み易くするか、さらには上記のキャラクターの口形状６に飲料をする者の口をつけて飲む際の面白さ等を考慮して決定すればよい。
【００２５】
上記の口形状６の奥部には、図２又は図３、４に示すように、飲料容器２の開口部３に装着するための開口穴４に連通する少なくとも２個の流通孔７が形成されている。この流通孔７を少なくとも２個としたのは、１個だけであると、飲料容器２内から供給される飲料の流通がスムーズに行われないからであり、２個以上であると、飲料容器２内から供給される飲料がスムーズに流通して、口形状６まで供給することが可能となるからである。
【００２６】
さらに、図３又は図４に示すように、飲料容器２内の飲料を頭部５の口形状６までスムーズに供給するために、上記の開口穴４には外部に抜ける空気穴１０が形成されている。
【００２７】
また、図３又は図４に示すように、口形状６の奥部に突部８が形成されると共に、この突部８に流通孔７が形成され、突部８の周囲に密封蓋９を着脱自在に嵌合することによって、口形状６の内部で流通孔７が閉塞可能にされる。従って、飲料を行わないときは、突部８に密封蓋９を嵌合しておくことによって、飲料容器２内の飲料が零れないようにしておくことができる。
【００２８】
また、この密封蓋９はボトルキャップグッズ１の所定箇所に連結することによって、紛失防止とし、必要なときにはすぐに密封蓋９をすることが可能である。
【００２９】
この密封蓋９の取付け方法としては、上記の口形状６の内部の突部８に密着嵌合するキャップ形状の密封蓋９に合成樹脂等による紐状の連結条１４で連結し、その端部をボトルキャップグッズ１の首部１１等に固定した状態としておけばよい。
【００３０】
さらに、上記のボトルキャップグッズ１は、その開口穴４の内周に雌ネジ形状１２が形成され、この雌ネジ形状１２を飲料容器２の開口部３の外周に設けられた雄ネジ形状１３にねじ込むことによって飲料容器２の開口部３に装着することが可能とされている。
【００３１】
上記のように構成されたボトルキャップグッズ１は、上記のようにペットボトル等の飲料容器２の開口部３にボトルキャップグッズ１の開口穴４をねじ込んで取付け、口形状６内の突部８に密封蓋９を嵌合しておくことより、口形状６内の流通孔７から飲料容器２内の飲料が零れることなく持ち運ぶことができる。
【００３２】
また、上記のボトルキャップグッズ１を使用して飲料を行う際には、口形状６内の突部８から密封蓋９を取り外して、飲料容器２内の飲料を流通孔７から供給するようにし、この状態で飲料をする者が口形状６に直接口をつけて、飲料容器２を傾けて飲むことにより、そのキャラクターと直接口をつけて飲料をしているような遊戯性のある飲み方となって、娯楽的な気分を満喫することが可能となる。
【産業上の利用可能性】
【００３３】
本考案のボトルキャップグッズは、ペットボトル等の飲料容器の開口部に装着するボトルキャップグッズの形状を人間又は動物等のキャラクターの顔を模したものとし、その顔に形成された口形状を飲み口とすることで、娯楽的な気分で飲めるようにしたボトルキャップグッズとして利用可能であり、例えば、お祭り会場や劇場やコンサート会場や競技場や遊園地等で、その登場人物や人気のあるキャラクターの顔を模したボトルキャップグッズを飲料容器に装着して販売したり、使用したりする等に利用可能である。
【図面の簡単な説明】
【００３４】
【図１】本考案によるボトルキャップグッズを飲料容器の開口部に装着した状態を示す正面図である。
【図２】本考案によるボトルキャップグッズを飲料容器の開口部から取り外した状態を示す正面図である。
【図３】本考案によるボトルキャップグッズの縦断面図であり、密封蓋を嵌合した状態を示す。
【図４】本考案によるボトルキャップグッズの縦断面図であり、密封蓋を取り外した状態を示す。
【図５】特許文献１の飲料吸引具を飲料容器に装着した正面図である。
【符号の説明】
【００３５】
１  ボトルキャップグッズ
２  飲料容器
３  開口部
４  開口穴
５  頭部
６  口形状
７  流通孔
８  突部
９  密封蓋
１０  空気穴
１１  首部
１２  雌ネジ形状
１３  雄ネジ形状
１４  連結条
【図１】
0003114938.tif 000003
【図２】
0003114938.tif 000004
【図３】
0003114938.tif 000005
【図４】
0003114938.tif 000006
【図５】
0003114938.tif 000007